(57)【要約】【課題】個々の出力ポートの信号線の接続態様の誤りを通知する。【解決手段】ＳＴＢ（１）は、出力ポートとＨＤＭＩケーブル（３）で接続された入力ポートからポート情報を取得するポート情報取得部（１０２）と、上記ポート情報が示す出力ポートと、上記入力ポートと接続されている出力ポートとが一致しない場合に、接続に誤りがあることをユーザに通知する判定結果提示部（１０４）と、を備えている。【選択図】図１
2018113654.tif 000002
【特許請求の範囲】
【請求項１】
１または複数の表示装置が備える複数の入力ポートのそれぞれに対し、複数の出力ポートのそれぞれから信号線を介して映像信号を供給することにより、上記表示装置に１つの映像を表示させる映像信号供給装置であって、
上記出力ポートと上記信号線を介して接続された上記入力ポートから、当該入力ポートと接続すべき出力ポートを示す接続情報を取得する情報取得部と、
上記入力ポートから取得された上記接続情報が示す出力ポートと、当該入力ポートと接続されている上記出力ポートとが一致しない場合に、上記信号線の接続に誤りがあることをユーザに通知する通知部と、を備えていることを特徴とする映像信号供給装置。
【請求項２】
上記表示装置は、上記複数の入力ポートのそれぞれに対応する記憶部を備えており、
上記映像信号供給装置は、上記出力ポートと上記入力ポートが上記信号線を介して正しく接続されている場合に、上記入力ポートに対応する上記記憶部に、当該入力ポートと接続されている上記出力ポートを示す上記接続情報を書き込む書き込み部をさらに備えていることを特徴とする請求項１に記載の映像信号供給装置。
【請求項３】
上記映像信号の供給をＨＤＭＩ（High-definition DigitalMedia Interface）を介して行うことを特徴とする請求項１または２に記載の映像信号供給装置。
【請求項４】
上記情報取得部は、ＥＤＩＤ（Extended DisplayIdentification Data）として書き込まれた上記接続情報を取得することを特徴とする請求項３に記載の映像信号供給装置。
【請求項５】
１または複数の表示装置が備える複数の入力ポートのそれぞれに対し、複数の出力ポートのそれぞれから信号線を介して映像信号を供給することにより、上記表示装置に１つの映像を表示させる映像信号供給装置の制御方法であって、
上記出力ポートと上記信号線を介して接続された上記入力ポートから、当該入力ポートと接続すべき出力ポートを示す接続情報を取得する情報取得ステップと、
上記入力ポートから取得された上記接続情報が示す出力ポートと、当該入力ポートと接続されている上記出力ポートとが一致しない場合に、上記信号線の接続に誤りがあることをユーザに通知する通知ステップと、を含むことを特徴とする映像信号供給装置の制御方法。
【請求項６】
請求項１に記載の映像信号供給装置としてコンピュータを機能させるための制御プログラムであって、上記情報取得部および上記通知部としてコンピュータを機能させるための制御プログラム。
【発明の詳細な説明】
【技術分野】
【０００１】
本発明は、出力ポートから信号線を介して映像信号を供給することにより表示装置に映像を表示させる映像信号供給装置等に関する。
【背景技術】
【０００２】
現行のフルハイビジョン規格は、１９２０×１０８０画素の解像度の映像を表示させるものである。フルハイビジョンの映像は、ＨＤＭＩ（High-definition Digital Media Interface、登録商標）ケーブルで伝送することが可能である。
【０００３】
しかし、フルハイビジョン規格の４倍あるいは１６倍の帯域の信号を用いる新たな映像規格（いわゆる４Ｋ、８Ｋ）に適合する映像信号については、現行規格のＨＤＭＩケーブルでは帯域が不足する。
【０００４】
このため、下記の特許文献１では、入力信号を複数に分割して複数の出力ポートのそれぞれから出力することにより、現行規格のＨＤＭＩケーブルを複数用いて新たな映像規格に適合する映像信号を伝送することを可能にしている。
【先行技術文献】
【特許文献】
【０００５】
【特許文献１】特開２０１５−１０６８２５号公報（２０１５年６月８日公開）
【発明の概要】
【発明が解決しようとする課題】
【０００６】
特許文献１のように複数のＨＤＭＩケーブルで接続する場合、本来接続するべき入力ポートと出力ポートの組み合わせとは異なる入力ポートと出力ポートを接続してしまうことがあるという問題がある。
【０００７】
この問題に関して、上記特許文献１には、シンク機器が、所定のフォーマットの「InfoFrame」を受信し、「InfoFrame」に含まれる、該「InfoFrame」の送信順を示す順番情報と物理アドレスとから、意図しない接続構成を検出する旨記載されている。そして、意図しない接続構成となっている場合に、シンク機器の表示部により、ケーブルを正しく接続するように提示することが記載されている。
【０００８】
しかしながら、上記特許文献１の構成では、シンク機器に対して所定のフォーマットの「InfoFrame」を、順番情報の示す送信順で送信する必要があり、個々のポートについて接続の正否を簡易に判定することができないというさらなる問題がある。なお、このような問題点は、ＨＤＭＩ接続に限られず、各出力ポートと各入力ポートとをそれぞれ別個の信号線で接続する場合に共通して生じる問題点である。
【０００９】
本発明の一態様は、個々のポートについて信号線の接続態様の正否を簡易に判定し、接続態様に誤りがある場合にはその旨をユーザに通知することができる映像信号供給装置等を実現することを目的とする。
【課題を解決するための手段】
【００１０】
上記の課題を解決するために、本発明の一態様に係る映像信号供給装置は、１または複数の表示装置が備える複数の入力ポートのそれぞれに対し、複数の出力ポートのそれぞれから信号線を介して映像信号を供給することにより、上記表示装置に１つの映像を表示させる映像信号供給装置であって、上記出力ポートと上記信号線を介して接続された上記入力ポートから、当該入力ポートと接続すべき出力ポートを示す接続情報を取得する情報取得部と、上記入力ポートから取得された上記接続情報が示す出力ポートと、当該入力ポートと接続されている上記出力ポートとが一致しない場合に、上記信号線の接続に誤りがあることをユーザに通知する通知部と、を備えている。
【００１１】
また、上記の課題を解決するために、本発明の一態様に係る映像信号供給装置の制御方法は、１または複数の表示装置が備える複数の入力ポートのそれぞれに対し、複数の出力ポートのそれぞれから信号線を介して映像信号を供給することにより、上記表示装置に１つの映像を表示させる映像信号供給装置の制御方法であって、上記出力ポートと上記信号線を介して接続された上記入力ポートから、当該入力ポートと接続すべき出力ポートを示す接続情報を取得する情報取得ステップと、上記入力ポートから取得された上記接続情報が示す出力ポートと、当該入力ポートと接続されている上記出力ポートとが一致しない場合に、上記信号線の接続に誤りがあることをユーザに通知する通知ステップと、を含む。
【発明の効果】
【００１２】
本発明の一態様によれば、個々のポートについて信号線の接続態様の正否を簡易に判定し、接続態様に誤りがある場合にはその旨をユーザに通知することができるという効果を奏する。
【図面の簡単な説明】
【００１３】
【図１】本発明の実施形態１に係るＳＴＢの要部構成の一例を示すブロック図である。
【図２】本発明の実施形態１に係る表示装置の要部構成の一例を示すブロック図である。
【図３】本発明の実施形態１に係る表示システムの概要を示す図である。
【図４】本発明の実施形態１に係るＥＤＩＤのデータ構造の一例を示す図である。
【図５】本発明の実施形態１に係る点灯部の点灯例を示す図である。
【図６】ポート情報書き込み時に上記ＳＴＢが実行する処理の一例を示すフローチャートである。
【図７】上記ＳＴＢと上記表示装置とをＨＤＭＩケーブルで接続したときに上記ＳＴＢが実行する処理の一例を示すフローチャートである。
【図８】本発明の実施形態２に係る表示システムの概要を示す図である。
【発明を実施するための形態】
【００１４】
〔実施形態１〕
〔システム概要〕
本実施形態に係る表示システムの概要を図３に基づいて説明する。図３は、表示システム５の概要を示す図である。図示のように、表示システム５には、ＳＴＢ（映像信号供給装置）１、表示装置２、およびアンテナ４が含まれる。ＳＴＢ１と表示装置２とは、ＨＤＭＩケーブル（信号線）３ａ〜３ｄで接続されている。なお、以下では、各ＨＤＭＩケーブルを区別する必要のないときには単にＨＤＭＩケーブル３と記載する。
【００１５】
表示システム５では、ＳＴＢ１がアンテナ４を介してコンテンツを受信し、ＨＤＭＩケーブル３を介してそのコンテンツの映像信号を表示装置２に供給して、コンテンツの映像を表示させる。つまり、ＳＴＢ１はソース機器であり、表示装置２はシンク機器である。
【００１６】
ＳＴＢ１は、アンテナ４と接続されており、アンテナ４が受信した放送信号を復調等して表示装置２が出力可能な形式の信号とし、該信号を表示装置２に出力する。ＳＴＢ１は、上記信号の出力端子としてＨＤＭＩ端子１４ａ〜１４ｄ（以下、各ＨＤＭＩ端子を区別する必要のないときには単にＨＤＭＩ端子１４と記載）を備えている。ＳＴＢ１はソース機器の一例であり、ＳＴＢ１以外の機器をソース機器としてもよい。例えば、ソース機器は、インターネット等の通信ネットワークを介して取得したコンテンツを表示装置２に出力するものであってもよいし、記録媒体から読み出したコンテンツを表示装置２に出力するものであってもよい。
【００１７】
表示装置２は、画像を表示する表示部２３を備えている。そして、表示部２３の表示領域は、左上の表示領域２３０ａ、右上の表示領域２３０ｂ、左下の表示領域２３０ｃ、および右下の表示領域２３０ｄに区分される。表示領域２３０ａ〜２３０ｄのそれぞれには、４Ｋ（現行のフルハイビジョン規格の４倍の帯域。例えば３８４０×２１６０画素。）解像度の映像を表示することができる。つまり、表示部２３は全体として８Ｋ解像度の映像を表示することができる。また、表示装置２は、表示領域２３０ａ〜２３０ｄのそれぞれに対応するＨＤＭＩ端子２０ａ〜２０ｄ（以下、各ＨＤＭＩ端子を区別する必要のないときには単にＨＤＭＩ端子２０と記載）を備えている。
【００１８】
ＨＤＭＩケーブル３は、映像信号、音声信号、および制御信号等を伝送するための通信線である。１本のＨＤＭＩケーブル３により、４Ｋ解像度の映像信号を伝送することが可能である。よって、ＨＤＭＩケーブル３ａ〜３ｄを用いて８Ｋ解像度の映像信号を伝送することが可能である。ＨＤＭＩケーブル３ａの一端はＳＴＢ１のＨＤＭＩ端子１４ａと接続されており、他端は表示装置２のＨＤＭＩ端子２０ａと接続されている。同様に、ＨＤＭＩケーブル３ｂ〜３ｄの一端はそれぞれＳＴＢ１のＨＤＭＩ端子１４ｂ〜１４ｄと接続されており、他端はそれぞれ表示装置２のＨＤＭＩ端子２０ｂ〜２０ｄと接続されている。
【００１９】
表示システム５において、正しく映像を表示させるためには、ＨＤＭＩケーブル３を正しく接続する必要がある。具体的には、ＨＤＭＩ端子１４ａと２０ａ、ＨＤＭＩ端子１４ｂと２０ｂ、ＨＤＭＩ端子１４ｃと２０ｃ、そしてＨＤＭＩ端子１４ｄと２０ｄをＨＤＭＩケーブル３で接続する必要がある。
【００２０】
〔ＳＴＢの要部構成〕
ＳＴＢ１の要部構成を図１に基づいて説明する。図１は、ＳＴＢ１の要部構成の一例を示すブロック図である。なお、図１では、ＳＴＢ１の特徴点と直接関連のない構成については図示を省略している。後に説明する図２においても同様である。
【００２１】
ＳＴＢ１は、ＳＴＢ１の各部を統括して制御する制御部１０、ＳＴＢ１が使用する各種データを記憶する記憶部１１、およびＳＴＢ１に対する入力操作を受け付ける入力部１２を備えている。入力部１２は、リモートコントローラの送信する操作信号を受信する受信部であってもよい。
【００２２】
また、ＳＴＢ１は、上述のＨＤＭＩ端子１４ａ〜１４ｄを備えている。ＨＤＭＩ端子１４ａ〜１４ｄは、それぞれ出力ポートＡ〜Ｄを構成している。さらに、ＳＴＢ１は、制御部１０の制御に従って点灯する点灯部１３ａ〜１３ｄ（以下、点灯部１３ａ〜１３ｄを区別する必要のないときには単に点灯部１３と記載）を備えている。点灯部１３は、例えば発光色を切り替え可能なＬＥＤ（Light Emitting Diode）で構成してもよい。なお、点灯部１３は、ＨＤＭＩケーブル３の接続状態を通知するために設けられたものであってもよいし、他の用途のために設けられた点灯部を点灯部１３として流用してもよい。
【００２３】
点灯部１３ａ〜１３ｄは、出力ポートＡ〜Ｄにそれぞれ対応している。ＳＴＢ１は、点灯部１３ａ〜１３ｄの点灯状態によって、出力ポートＡ〜ＤにおいてＨＤＭＩケーブル３が正しく接続されているか否かをユーザに通知する。点灯部１３の点灯による通知については、図５に基づいて後述する。
【００２４】
制御部１０は、書き込み部１０１、ポート情報取得部（情報取得部）１０２、判定部１０３、および判定結果提示部（通知部）１０４を含む。
【００２５】
書き込み部１０１は、ＳＴＢ１の出力ポートと表示装置２の入力ポートとがＨＤＭＩケーブル３を介して正しく接続されている場合に、入力ポートの記憶部２１（図２に基づいて後述）に、当該入力ポートと接続されている出力ポートを示すポート情報を書き込む。
【００２６】
ポート情報取得部１０２は、ＳＴＢ１の出力ポートとＨＤＭＩケーブル３を介して接続された表示装置２の入力ポートから、当該入力ポートと接続すべき出力ポートを示すポート情報を取得する。このポート情報は、ＳＴＢ１の出力ポートと表示装置２の入力ポートとがＨＤＭＩケーブル３を介して正しく接続されている状態において書き込み部１０１が書き込んだ情報である。
【００２７】
判定部１０３は、ＳＴＢ１の出力ポートとＨＤＭＩケーブル３を介して接続された入力ポートからポート情報取得部１０２が取得したポート情報が示す出力ポートと、上記入力ポートに接続されている出力ポートとが一致するか否かを判定する。
【００２８】
判定結果提示部１０４は、ＳＴＢ１のユーザに対し、判定部１０３の判定結果に応じた通知を行う。具体的には、判定結果提示部１０４は、判定部１０３が一致しないと判定した場合に、一致しないと判定された出力ポートに対応する点灯部１３を非正常状態で点灯させることにより、ＨＤＭＩケーブル３の接続に誤りがあることをユーザに通知する。また、判定結果提示部１０４は、判定部１０３が一致すると判定した場合には、一致すると判定された出力ポートに対応する点灯部１３を正常状態で点灯させることにより、ＨＤＭＩケーブル３が正しく接続されたことをユーザに通知する。
【００２９】
〔表示装置の要部構成〕
表示装置２の要部構成を図２に基づいて説明する。図２は、表示装置２の要部構成の一例を示すブロック図である。表示装置２は、上述のＨＤＭＩ端子２０ａ〜２０ｄ、および表示領域２３０ａ〜２３０ｄを含む表示部２３を備えている。表示装置２は、４つの入力ポートａ〜ｄを備えている。そして、入力ポートａには、ＨＤＭＩ端子２０ａ、入力ポートａに関するデータを記憶する記憶部２１ａ、およびＨＤＭＩ端子２０ａを介して受信した映像信号および音声信号等の受信部であるＨＤＭＩＲＸ２２ａが含まれている。記憶部２１ａは例えばＲＯＭ（Read Only Memory）であってもよい。同様に、入力ポートｂにはＨＤＭＩ端子２０ｂ、記憶部２１ｂ、およびＨＤＭＩＲＸ２２ｂが含まれている。また、入力ポートｃにはＨＤＭＩ端子２０ｃ、記憶部２１ｃ、およびＨＤＭＩ ＲＸ２２ｃが含まれ、入力ポートｄにはＨＤＭＩ端子２０ｄ、記憶部２１ｄ、およびＨＤＭＩＲＸ２２ｄが含まれている。以下、記憶部２１ａ〜２１ｄを区別する必要のないときには単に記憶部２１と記載する。なお、入力ポートａ〜ｄは同様の構成であるから、以下では入力ポートａについて説明し、入力ポートｂ〜ｄの説明は省略する。
【００３０】
ＨＤＭＩ端子２０ａとＨＤＭＩ ＲＸ２２ａとは、映像信号等が送信されるチャンネルで接続されている。また、音声信号もこのチャンネルを介してＨＤＭＩＲＸ２２ａに送信される。ＨＤＭＩ ＲＸ２２ａは、このチャンネルを介して受信した映像信号を表示部２３に出力し、これにより表示領域２３０ａに上記映像信号に基づく映像が表示される。
【００３１】
また、ＨＤＭＩ端子２０ａと記憶部２１ａとは、５Ｖ電源ラインと、ＥＤＩＤ（ExtendedDisplay Identification Data）を伝送するラインとで結ばれている。ＥＤＩＤには、ＨＤＭＩ端子２０ａを介した接続先のベンダを示す情報や製品ＩＤ等が含まれる。ＥＤＩＤは上記ラインを介して記憶部２１ａに書き込まれ、ＥＤＩＤ２１０ａとして記憶される。なお、以下では、ＥＤＩＤ２１０ａ〜２１０ｄを区別する必要のないときには単にＥＤＩＤ２１０と記載する。
【００３２】
〔ＥＤＩＤの例〕
ＥＤＩＤ２１０は、例えば図４のようなデータ構造であってもよい。図４は、ＥＤＩＤ２１０のデータ構造の一例を示す図である。図４のＥＤＩＤ２１０は、所定のアドレスに所定内容の記述が書き込まれたデータ構造である。具体的には、アドレス00hには、ヘッダの情報が記述されており、アドレス08hには、ＨＤＭＩ接続先であるソース機器のベンダ（Vendor）を示す情報や、該ソース機器の製品ＩＤが記述されている。
【００３３】
また、図４のＥＤＩＤ２１０のアドレスxxhには、当該ＥＤＩＤ２１０に対応する入力ポートと接続すべき出力ポートを示すポート情報（接続情報）が記述されている。また、ポート情報の記述は、ポート情報が未設定状態である場合には０としている。そして、接続すべき出力ポートが左上の表示領域２３０ａ（図３参照）に対応する出力ポートＡである場合には１としている。同様に、接続すべき出力ポートが右上の表示領域２３０ｂに対応する出力ポートＢである場合には２、左下の表示領域２３０ｃに対応する出力ポートＣである場合には３、右下の表示領域２３０ｄに対応する出力ポートＤである場合には４としている。ポート情報は例えば８ビットの情報であってもよい。
【００３４】
なお、ポート情報は、入力ポートと接続すべき出力ポートを示す情報であればよく、例えば入力ポートと接続すべき出力ポートの識別情報（出力ポートＡ〜Ｄの何れかを示す情報）であってもよい。
【００３５】
〔点灯部の点灯例〕
ＳＴＢ１の判定結果提示部１０４は、ＨＤＭＩ接続が正しく行われた出力ポートについては、その出力ポートに対応する点灯部１３を正常状態で点灯させる。一方、ＨＤＭＩ接続が誤って行われたポートについては、そのポートに対応する点灯部１３を非正常状態で点灯させる。これにより、ＨＤＭＩ接続が正しく行われたか否か、および誤った接続が行われた場合には何れの出力ポートにおける接続が誤っているかをユーザに認識させることができる。これについて図５に基づいて説明する。
【００３６】
図５は、点灯部１３の点灯例を示す図である。図５の（ａ）には、全ての出力ポートについてＨＤＭＩ接続が正しく行われた場合の点灯例を示している。この例では、判定結果提示部１０４は、点灯部１３ａ〜１３ｄを、何れもＨＤＭＩ接続が正しく行われたことを示す正常状態で点灯させている。
【００３７】
一方、図５の（ｂ）には、出力ポートＡ、ＣについてはＨＤＭＩ接続が正しく行われたが、出力ポートＢ、ＤのＨＤＭＩ接続が誤って行われた場合の点灯例を示している。ＳＴＢ１の出力ポートＢと表示装置２の入力ポートｄとが接続され、ＳＴＢ１の出力ポートＤと表示装置２の入力ポートｂとが接続された場合にはこのような点灯状態となる。この例では、判定結果提示部１０４は、点灯部１３ａ、１３ｃは正常状態で点灯させ、点灯部１３ｂ、１３ｄは非正常状態で点灯させている。
【００３８】
正常状態の点灯と非正常状態の点灯とは、外観が異なる点灯であればよく、外観から正常状態であるか非正常状態であるかをユーザが認識できるような点灯であれば好ましい。例えば、正常状態の点灯は緑、黄色、青等の点灯とし、非正常状態の点灯は赤の点灯としてもよい。また、正常状態であれば点灯とし、非正常状態であれば点滅させる等、点灯パターンによって正常状態と非正常状態を識別できるようにしてもよい。
【００３９】
また、図５の（ｃ）には、出力ポートＡ、Ｂ、ＤにはＨＤＭＩ接続がなされていない状態において、出力ポートＣに誤ったＨＤＭＩ接続（入力ポートｃ以外の何れかのポートとのＨＤＭＩ接続）がなされた場合の点灯例を示している。この例では、判定結果提示部１０４は、ＨＤＭＩ接続がなされていないポートに対応する点灯部１３は消灯状態としている。これにより、ＨＤＭＩ接続がなされているか否かをユーザに認識させることができる。また、判定結果提示部１０４は、誤ったＨＤＭＩ接続がなされた出力ポートＣに対応する点灯部１３ｃを非正常状態で点灯させるので、出力ポートＣにおける接続が誤っていることを、ＨＤＭＩケーブル３を接続した直後にユーザに認識させることができる。
【００４０】
〔ポート情報書き込み時の処理例〕
ＳＴＢ１が表示装置２にポート情報を書き込むときの処理の流れを図６に基づいて説明する。図６は、ポート情報書き込み時の処理の一例を示すフローチャートである。なお、本処理が行われる前提として、ＳＴＢ１と表示装置２とが４本のＨＤＭＩケーブル３で正しく接続されているものとする。
【００４１】
表示システム５のユーザは、ＳＴＢ１と表示装置２とが４本のＨＤＭＩケーブル３で正しく接続された状態において、入力部１２に対して所定の接続確定操作を行う。そして、書き込み部１０１は、入力部１２を介してこの接続確定操作を受け付ける（Ｓ１）。
【００４２】
次に、書き込み部１０１は、表示装置２のＥＤＩＤ２１０にポート情報を書き込む（Ｓ２）。具体的には、書き込み部１０１は、ＨＤＭＩ端子１４ａ、ＨＤＭＩケーブル３ａ、およびＨＤＭＩ端子２０ａを介して表示装置２の記憶部２１ａに記憶されているＥＤＩＤ２１０ａに、ＨＤＭＩ端子１４ａに対応するポート情報を書き込む。また、書き込み部１０１は、同様にして、ＥＤＩＤ２１０ｂ〜２１０ｄに、ＨＤＭＩ端子１４ｂ〜１４ｄに対応するポート情報をそれぞれ書き込む。
【００４３】
図３に基づいて説明したように、ＨＤＭＩ端子１４ａ〜１４ｄは、左上の表示領域２３０ａ、右上の表示領域２３０ｂ、左下の表示領域２３０ｃ、および右下の表示領域２３０ｄにそれぞれ対応している。また、図６の例では、ＥＤＩＤ２１０におけるポート情報のアドレスはxxhである。そして、左上の表示領域２３０ａに対応するポート情報の値は「１」、右上の表示領域２３０ｂに対応するポート情報の値は「２」、左下の表示領域２３０ｃに対応するポート情報の値は「３」、右下の表示領域２３０ｄに対応するポート情報の値は「４」である。よって、書き込み部１０１は、ＥＤＩＤ２１０ａのアドレスxxhに「１」の値、ＥＤＩＤ２１０ｂのアドレスxxhに「２」の値、ＥＤＩＤ２１０ｃのアドレスxxhに「３」の値、ＥＤＩＤ２１０ｄのアドレスxxhに「４」の値をそれぞれ書き込む。ＥＤＩＤ２１０ａ〜２１０ｄの全てについてポート情報の書き込みが終了すると、図示の処理は終了となる。
【００４４】
〔ＨＤＭＩケーブル接続時の処理例〕
ＳＴＢ１と表示装置２とをＨＤＭＩケーブル３で接続したときの処理（映像信号供給装置の制御方法）の流れを図７に基づいて説明する。図７は、ＳＴＢ１と表示装置２とをＨＤＭＩケーブル３で接続したときの処理の一例を示すフローチャートである。なお、本処理が行われる前提として、ＥＤＩＤ２１０ａ〜２１０ｄの全てについてポート情報の書き込みが終了しているものとする。
【００４５】
ユーザがＳＴＢ１と表示装置２とをＨＤＭＩケーブル３で接続すると、ＳＴＢ１のポート情報取得部１０２は、ＨＤＭＩケーブル３を介して接続されている表示装置２の入力ポートからポート情報を含むＥＤＩＤ２１０を読み込む（Ｓ１０、情報取得ステップ）。
【００４６】
次に、判定部１０３は、上記入力ポートから取得されたポート情報が示す出力ポートと、上記入力ポートに接続されている出力ポートとが一致するか否かを判定する（Ｓ１１）。具体的には、ＳＴＢ１の出力ポートＡにおいてＨＤＭＩ接続された場合、判定部１０３は、ポート情報取得部１０２が取得したポート情報の値が「１」であるか否かを判定する。同様に、出力ポートＢにおいて接続された場合にはポート情報の値が「２」であるか否か、出力ポートＣにおいて接続された場合にはポート情報の値が「３」であるか否か、出力ポートＤにおいて接続された場合にはポート情報の値が「４」であるか否かを判定する。
【００４７】
判定部１０３がＳ１１で一致すると判定した場合（Ｓ１１でＹＥＳ）、判定結果提示部１０４は、ＨＤＭＩ接続された出力ポートに対応する点灯部１３を正常状態で点灯させて（Ｓ１２）処理を終了する。一方、判定部１０３がＳ１１で一致しないと判定した場合（Ｓ１１でＮＯ）、判定結果提示部１０４は、ＨＤＭＩ接続された出力ポートに対応する点灯部１３を非正常状態で点灯させて接続に誤りがあることをユーザに通知する（Ｓ１３、通知ステップ）。これにより処理は終了する。
【００４８】
上記の処理によれば、ユーザは、表示装置２の表示内容を確認しながら、何れの出力ポートと入力ポートをＨＤＭＩ接続すべきかを探る必要がなく、点灯部１３の点灯状態を確認しながら、ＳＴＢ１と表示装置２を正しくかつ容易にＨＤＭＩ接続することができる。これに対し、〔背景技術〕に記載した特許文献１の技術では、ケーブルを正しく接続することを促す提示は、シンク機器の表示部にて行われるため、ユーザは表示部を見ながらケーブルを繋ぎ変える必要がある。
【００４９】
また、ＥＤＩＤ２１０は、表示装置２の電源が入っていなくとも読み出すことが可能であるから、ユーザは表示装置２の電源を入れていない状態においても、ＨＤＭＩ接続の正否を確認し、ＳＴＢ１と表示装置２を正しくＨＤＭＩ接続することができる。これに対し、上記特許文献１の技術では、アダプターとシンク機器とで情報をやりとりして接続関係の正否を判定するので、アダプターとシンク機器の双方の電源を入れる必要がある。
【００５０】
〔実施形態２〕
８Ｋ未満の解像度の映像を表示可能な表示装置を複数用いて８Ｋ解像度の映像を表示することも可能である。これについて図８に基づいて説明する。図８は、４台の表示装置を含む表示システム５０の構成例を示す図である。なお、実施形態１と同様の構成には同一の参照番号を付し、その説明を省略する。実施形態３においても同様である。
【００５１】
表示システム５０には、表示装置６ａ〜６ｄが含まれている。表示装置６ａ〜６ｄは、何れも４Ｋ解像度の映像を表示可能な表示装置であり、ＨＤＭＩ端子２０ａ〜２０ｄをそれぞれ備えている。そして、ＨＤＭＩ端子２０ａ〜２０ｄは、ＨＤＭＩケーブル３ａ〜３ｄをそれぞれ介してＳＴＢ１のＨＤＭＩ端子１４ａ〜１４とそれぞれ接続されている。
【００５２】
表示装置６ａ〜６ｄは、１つの表示面を形成するように配置されている。具体的には、表示装置６ａが表示面の左上部分を形成し、表示装置６ｂが表示面の右上部分を形成し、表示装置６ｃが表示面の左下部分を形成し、表示装置６ｄが表示面の右下部分を形成するように配置されている。
【００５３】
ＳＴＢ１は、表示装置６ａ〜６ｄのそれぞれに映像信号を送信する。具体的には、表示装置６ａには１つのビデオコンテンツの左上部分に相当する映像信号を送信する。同様に、表示装置６ｂには上記ビデオコンテンツの右上部分、表示装置６ｃには上記ビデオコンテンツの左下部分、表示装置６ｄには上記ビデオコンテンツの右下部分に相当する映像信号をそれぞれ送信する。これにより、表示装置６ａ〜６ｄが形成する１つの表示面に１つのビデオコンテンツの映像が表示される。表示装置６ａ〜６ｄのそれぞれが表示するビデオコンテンツが４Ｋ解像度であれば、表示面全体として８Ｋ解像度のビデオコンテンツが表示されることになる。
【００５４】
本実施形態においてもＳＴＢ１の処理は上記実施形態と同様であり、図６の処理により表示装置６ａ〜６ｄのそれぞれのＥＤＩＤにポート情報を書き込む。そして、ＥＤＩＤにポート情報が書き込まれた状態において、表示装置６ａ〜６ｄの少なくとも何れかとＳＴＢ１とがＨＤＭＩ接続された場合には、図７の処理により点灯部１３を点灯させる。
【００５５】
〔実施形態３〕
ＨＤＭＩ接続の正否の通知は、ＨＤＭＩ接続の正否をユーザが認識できるような態様で行えばよく、上述の例に限られない。例えば、ＳＴＢ１に表示部を設け、該表示部にＨＤＭＩ接続の正否を示す画像（絵や文字）を表示することにより、ＨＤＭＩ接続の正否をユーザに通知してもよい。また、例えば、ＳＴＢ１に音声出力部を設け、該音声出力部にＨＤＭＩ接続の正否を示す音を出力させることにより、ＨＤＭＩ接続の正否をユーザに通知してもよい。例えば、ＨＤＭＩ接続が正しい場合と誤っている場合とで、異なる効果音や、高さの異なる音を出力させてもよい。また、音声メッセージによりＨＤＭＩ接続の正否をユーザに通知してもよい。
【００５６】
また、ＳＴＢ１は、ＨＤＭＩ接続が誤っている場合には、ＨＤＭＩケーブル３を接続するべき出力ポートをユーザに通知してもよい。例えば、図５の（ｃ）の例において、入力ポートｃから読み出したＥＤＩＤのポート情報が「１」であった場合、判定結果提示部１０４は、ポート情報「１」に対応する出力ポートＡにおける接続状態を示す点灯部１３ａを点滅させてもよい。これにより、ＨＤＭＩケーブル３を出力ポートＣから出力ポートＡに繋ぎ変えることをユーザに促すことができる。
【００５７】
なお、上記各実施形態では、正しくＨＤＭＩ接続された出力ポートについても点灯部１３を正常状態で点灯させることにより、その出力ポートで正しいＨＤＭＩ接続がなされたことをユーザに通知しているが、この通知は省略してもよい。つまり、ＳＴＢ１は、ＨＤＭＩ接続に誤りがある場合にその旨をユーザに通知する構成であればよく、正しいＨＤＭＩ接続がなされた場合の通知は必須ではない。
【００５８】
〔変形例〕
ＳＴＢ１と表示装置２または６ａ〜６ｄとは、各出力ポートと各入力ポートとがそれぞれ別個の信号線で接続されていればよく、これら装置の接続態様はＨＤＭＩ接続に限られない。また、ポート情報は、表示装置２から取得できるように格納されていればよく、ＥＤＩＤとは別に格納されていてもよい。
【００５９】
〔ソフトウェアによる実現例〕
ＳＴＢ１の制御ブロック（特に書き込み部１０１、ポート情報取得部１０２、判定部１０３、および判定結果提示部１０４）は、集積回路（ＩＣチップ）等に形成された論理回路（ハードウェア）によって実現してもよいし、ＣＰＵ（Central Processing Unit）を用いてソフトウェアによって実現してもよい。
【００６０】
後者の場合、ＳＴＢ１は、各機能を実現するソフトウェアであるプログラムの命令を実行するＣＰＵ、上記プログラムおよび各種データがコンピュータ（またはＣＰＵ）で読み取り可能に記録されたＲＯＭまたは記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００６１】
〔まとめ〕
本発明の態様１に係る映像信号供給装置（ＳＴＢ１）は、１または複数の表示装置（２、６ａ、６ｂ、６ｃ、６ｄ）が備える複数の入力ポートのそれぞれに対し、複数の出力ポートのそれぞれから信号線（ＨＤＭＩケーブル３）を介して映像信号を供給することにより、上記表示装置に１つの映像を表示させる映像信号供給装置であって、上記出力ポートと上記信号線を介して接続された上記入力ポートから、当該入力ポートと接続すべき出力ポートを示す接続情報を取得する情報取得部（ポート情報取得部１０２）と、上記入力ポートから取得された上記接続情報が示す出力ポートと、当該入力ポートと接続されている上記出力ポートとが一致しない場合に、上記信号線の接続に誤りがあることをユーザに通知する通知部（判定結果提示部１０４）と、を備えている構成である。
【００６２】
上記の構成によれば、出力ポートと信号線を介して接続された入力ポートから、当該入力ポートと接続すべき出力ポートを示す接続情報を取得する。そして、入力ポートから取得された接続情報が示す出力ポートと、当該入力ポートと接続されている出力ポートとが一致しない場合に、信号線の接続に誤りがあることをユーザに通知する。よって、個々の出力ポートについて信号線の接続態様の誤りをユーザに通知することができる。
【００６３】
本発明の態様２に係る映像信号供給装置は、上記態様１において、上記表示装置は、上記複数の入力ポートのそれぞれに対応する記憶部（２１ａ、２１ｂ、２１ｃ、２１ｄ）を備えており、上記映像信号供給装置は、上記出力ポートと上記入力ポートが上記信号線を介して正しく接続されている場合に、上記入力ポートに対応する上記記憶部に、当該入力ポートと接続されている上記出力ポートを示す上記接続情報を書き込む書き込み部（１０１）をさらに備えている構成としてもよい。
【００６４】
上記の構成によれば、出力ポートと入力ポートが信号線を介して正しく接続されている場合に、入力ポートに対応する記憶部に、当該入力ポートと接続されている出力ポートを示す接続情報を書き込む。よって、ユーザは、この信号線による接続を一旦解消した後、再度接続する際に、信号線の接続を誤った場合に、映像信号供給装置の通知により接続誤りが生じたことを認識することができる。
【００６５】
本発明の態様３に係る映像信号供給装置は、上記態様１または２において、上記映像信号の供給をＨＤＭＩ（High-definition Digital Media Interface）を介して行う構成としてもよい。
【００６６】
上記の構成によれば、上記信号線としてＨＤＭＩケーブルを用いて、ＨＤＭＩに対応した表示装置に映像を表示させることができる。また、ＨＤＭＩケーブルの接続に誤りがあった場合に、その旨をユーザに通知することができる。
【００６７】
本発明の態様４に係る映像信号供給装置は、上記態様３において、上記情報取得部は、ＥＤＩＤ（Extended Display Identification Data）として書き込まれた上記接続情報を取得する構成としてもよい。
【００６８】
ＥＤＩＤは、ＨＤＭＩを介した通信の開始時に読み出す必要のある情報であるから、上記の構成によれば、ＨＤＭＩを介した通信を開始する際の標準的な処理の流れに沿って接続情報を取得することができる。
【００６９】
本発明の態様５に係る映像信号供給装置の制御方法は、１または複数の表示装置が備える複数の入力ポートのそれぞれに対し、複数の出力ポートのそれぞれから信号線を介して映像信号を供給することにより、上記表示装置に１つの映像を表示させる映像信号供給装置の制御方法であって、上記出力ポートと上記信号線を介して接続された上記入力ポートから、当該入力ポートと接続すべき出力ポートを示す接続情報を取得する情報取得ステップ（Ｓ１０）と、上記入力ポートから取得された上記接続情報が示す出力ポートと、当該入力ポートと接続されている上記出力ポートとが一致しない場合に、上記信号線の接続に誤りがあることをユーザに通知する通知ステップ（Ｓ１３）と、を含む方法である。該方法によれば、態様１と同様の作用効果を奏する。
【００７０】
本発明の各態様に係る映像信号供給装置は、コンピュータによって実現してもよく、この場合には、コンピュータを上記映像信号供給装置が備える各部（ソフトウェア要素）として動作させることにより上記映像信号供給装置をコンピュータにて実現させる映像信号供給装置の制御プログラム、およびそれを記録したコンピュータ読み取り可能な記録媒体も、本発明の範疇に入る。
【００７１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７２】
１  ＳＴＢ（映像信号供給装置）
２、６ａ、６ｂ、６ｃ、６ｄ  表示装置
３、３ａ、３ｂ  ＨＤＭＩケーブル（信号線）
２１ａ、２１ｂ、２１ｃ、２１ｄ  記憶部
１０２  ポート情報取得部（情報取得部）
１０４  判定結果提示部（通知部）
Ａ、Ｂ、Ｃ、Ｄ  出力ポート
ａ、ｂ、ｃ、ｄ  入力ポート
【図１】
2018113654.tif 000003
【図２】
2018113654.tif 000004
【図３】
2018113654.tif 000005
【図４】
2018113654.tif 000006
【図５】
2018113654.tif 000007
【図６】
2018113654.tif 000008
【図７】
2018113654.tif 000009
【図８】
2018113654.tif 000010